Podtech/llm-jp-corpus-v4-ja_patent huggingface dataset:
(57)【要約】【発明の目的】１  既存のミシンはメーカーの如何を問わずボビンがなければ縫製不能である。従ってボビンは用いるのであるが、伴って生ずる糸切れのボビンの交換及び下糸巻セット等、わずらわしく面倒な作業を要する欠点、また縫製効率の妨げとなっていた。当目的は上記欠点を解消することにある。２  但し当出願は先頭の（特願２００３−７２８２９号）の補足追加の部分である。上記の回転釜はボビンを不用としているがボビンケースは用いる構成となっており、それに止まるものであった。３  当出願は上記回転釜に下糸通孔、切欠、を形成することで縫製可能な回転釜にした。以上の構成とした回転釜である。【選択図】図１〜図２
2005152570.tif 000002
【特許請求の範囲】
【請求項１】
回転釜裏面に下糸通孔１、下糸リード孔２を形成する、以上の形成を有するミシンにおける回転釜のボビンレス用の複数の孔。
【請求項２】
周囲湾状の皿形板８に下糸通溝３−３‘、糸留孔４、傾斜５、駆動爪嵌入欠部６−６’軸孔７を形成し、これを軸頭下と駆動子間に挾着する。以上の構成を有する下糸リード用湾状皿形板。
【発明の詳細な説明】
【技術分野】
【０００１】ミシンにおける回転釜部分に関するものである。
【背景技術】
【０００２】１、従来のミシンは下糸を巻くボビンを用いなければ縫製は不能である。
２、ミシンの針が下布を抜ける瞬間に生じる小さな糸輪に釜にある尖端先が上記輪内に掛り、回転進行と共に輪をひろげつつボビン内臓の釜表裏を廻り込む要領で縫製が可能となる。上記が既存のミシンである。
３、従って下糸切れのボビンの交換及び空ボビンの巻き込みセットという面倒な作業が伴うものであり、上記が従来の技術の限界値である。
【発明が解消しようとする課題】
【０００３】１、縫製効率の妨げとなっている原因は小さなボビンに巻くだけの少ない下糸量にある。
２、然らばボビンを大きくしたらと考えるところであるがそう単純にはいかないのがミシンであって、その証拠にミシンが発明されて以来百数十年の年月が経った現在もなおボビンの基本部分は全く進化が無いからである。ここに思いを致すときその難しさが理解できるのであるが、然し未来のミシンに備わるべきボビンレスの機能の実現こそは、ミシンにおける究極の課題であると言えると思う。
【課題を達成する為の手段】
【０００４】１、回転釜の裏面に下糸通孔１下糸リード孔２を形成する、但し当出願の回転釜は「平成１５年２月に出願の、特願（２００３−７２８２９号）の補足追加の部分である。上記「特願（２００３−７２８２９号）」のボビンを不用としているがボビンケースは用いる機構となっており、それに止まるものになっている。当出願の回転釜は上記回転釜を用いたものである。
２、下糸通溝３−３‘  糸留孔４  傾斜５  駆動爪嵌入切欠部６−６’軸孔７を形成した周囲湾状の皿形板８を糸通孔付き軸頭下部Ｇと駆動子Ｋの間に挟着する。但し糸通孔付軸は上記「特願（２００３−７２８２９号）」中「請求項２」の軸を援用している。
３、上記湾状皿形板８を挟着した軸Ｇの下糸通孔から引き出された下糸を糸通溝３に通し穴４で留まった下糸を糸通溝３に引っ掛けると共に回転釜中の下糸通孔１に通し下糸リード孔２え通し次いで中央孔え通しボビン代替子に出た下糸９をボビンケースの糸調整バネ下に通しボビンケースを嵌着し、この回転釜をセットして縫製準備は完了する。
【構成パーツ及び形成孔等の役割と作用】
【０００５】縫製作動と共に回転する釜の表裏を包む様に廻り込む上糸の移動の形状変化の様子を図面とてらしながら説明する。
１、図１は釜が１回転しおわる直前の上糸の移動の一瞬を示したものであるが図２に示すように下糸９は湾状皿形板８の孔４に連なっている、従って回転と共に進む上糸が図７の位置に来たとき傾斜５のところで下糸とＸ印状に接触し、つまり下糸を押すような形で進行し図８の位置では裏を廻る上糸は逆への字形となり、更に回転し図９の示すように裏側を廻る上糸の位置形状となる。そしてなお廻ると図１０に示すように押されるようにしていた下糸は針の引っ張り作用で上糸からはずれ布につながる下糸部分を従来のミシンと同じ動きをしてからめて締めてゆき一針分の縫製が終了する。
【発明の効果】
【０００６】ボビンレスの縫製が可能となることによって
１  下糸切れのボビンの交換及び空ボビンの巻き込みセット等のいわゆる面倒な工程作業から解放される効果。
２  上記効果によって縫製効率が著しく高まる効果等発明上の効果が得られる。
【図面の簡単な説明】
【図１】時計廻りの回転釜の表裏を移動する上糸と下糸にして釜が１回転しおわる直前の一瞬の形状を示す正面図、但し釜の上部は省いてある。
【図２】図７の下部を省欠した側面図にして上糸の一瞬の形状を示した側面図。
【図３】軸芯と駆動子との間に挟着して用いる周囲湾状にした皿形板の裏面図。
【図４】図３の側面図
【図５】図４の裏側の斜視図。
【図６】回転釜の裏面に図５の上部断片を併着する要領を示した斜視図。
【図７】回転釜と湾状皿形板を透視で示す表側にして上糸の形状を示す正面図。
【図８】釜の回転と共に変化してゆく上糸の形状を示す図。
【図９】上糸の変化形状を示す正面図。
【図１０】釜の一回点終了直前の上糸の形状を示す図。
【図１１】釜を上斜めから見た図にして一回転終了直前の上糸の形状と下糸通孔の位置を示す図で下糸の記入はしていない。
【図１２】湾状皿形板を付設した釜の側面を示す図にして下部を省き、下糸記入を省き上糸のみの形状を示す図。
【図１３】下糸をからめて締まる瞬間の上糸の形状を示した図。図中の同一符号は共に同一又は対等の部分を示すものである。
【符号の説明】
１        下糸通孔
２        下糸リード孔
３−３’  湾状皿形板側の下糸通溝
４        下糸留孔
５        傾斜
６−６’  駆動爪嵌入切欠部
７        軸孔
８        湾状皿形板
９−９’  下糸
１０      上糸
１１      上布
１２      下布
Ｂ        ボビンケース断片
Ｎ        ネジ孔
Ｇ        軸孔
Ｈ        ミシン針
Ｙ        回転方向
Ｓ        駆動爪嵌入用切欠部
ＳＴ      駆動片断片
ＫＫ      回転釜固定子断片断面
Ｋ        駆動子頭部断片断面
【図１】
2005152570.tif 000003
【図２】
2005152570.tif 000004
【図３】
2005152570.tif 000005
【図４】
2005152570.tif 000006
【図５】
2005152570.tif 000007
【図６】
2005152570.tif 000008
【図７】
2005152570.tif 000009
【図８】
2005152570.tif 000010
【図９】
2005152570.tif 000011
【図１０】
2005152570.tif 000012
【図１１】
2005152570.tif 000013
【図１２】
2005152570.tif 000014
【図１３】
2005152570.tif 000015
(57)【要約】【課題】  一度の加熱調理で一緒にお湯を沸かすことのできるものである。【解決手段】  鍋（２）にヤカン付鍋蓋をのせ加熱することで一度にお湯も沸かせ、時間短縮、省エネルギーを実現するものである。【選択図】  図１
2005152564.tif 000002
【特許請求の範囲】
【請求項１】
鍋（１）の蓋と（２）ヤカンを一体にしたヤカン付鍋蓋。
【発明の詳細な説明】
【発明の詳細な説明】
【技術分野】
【０００１】この発明は一つの鍋で加熱調理するときに同時にお湯を沸かすものである。
【背景技術】
【０００２】それぞれひとつずつ加熱していた。
【発明が解決するための手段】
【０００３】ひとつの鍋を加熱しているときも、その鍋の上部に伝わる熱で同時にお湯を沸かし、時間、エネルギー・光熱費を節約する。
【発明を実施するための最良の形態】
【０００４】以下、本発明の実施例について説明します。
鍋（１）の加熱時、同時にお湯を沸かすときヤカン付鍋蓋（２）を使用する。
普通の鍋蓋と使い分ける。鍋と専用のヤカン付鍋蓋をセットにしても、ヤカン付鍋蓋のみを製作・販売してもよい。
【発明の効果】
【０００５】一度に複数の物を加熱することで、エネルギーを節約し、安全にしかも加熱調理も短時間でできる。
【図面の簡単な説明】
【図１】本発明の斜視図である。
【図２】本発明の使用状態を示す斜視図である
【符号の説明】
１．ヤカン付鍋蓋        ２．鍋
【図１】
2005152564.tif 000003
【図２】
2005152564.tif 000004
(57)【要約】［課題］  雨天、晴天時の傘使用時に両手を自由にし、多い荷物等をもてたり、風雨や日差しの方向を選ばない便利さを提供する。［解決手段］  身体に密着させる事により自由に両手を使うことが出来ることと、風雨や日差しの方向を限定しないことを特徴とする全天候対応型の傘ホルダー。【選択図】  図１
2005152565.tif 000002
【特許請求の範囲】
【請求項１】
ホルダーを身体に密着させ、上半身の少しの動きで傘をさす方向をかえることが出来、雨天時及び日差しの強いときに両手が自由になることにより、多くの荷物を持ったり子どもを抱いたりしながら風雨や日差しの方向に対応することができることを特徴とする全天候対応型の傘ホルダー。
【発明の詳細な説明】
［技術分野］
【０００１】  本発明は雨天時及び日差しの強い時に両手を自由に使えるようにし、また荷物をかける事が出来、雨や日差しの方向をも限定しない全天候対応型の傘ホルダーに関するものである。
［背景技術］
【０００２】  従来雨が降ったときや日差しの強い日は傘を手で模つことにより大きな荷物を持つたり、子どもを抱いたりすることが大変であった。
しかも雨や日差しの方向にいちいち傘の方向を変えなければならなかった。
特に雨の日などは傘を持ちながらの自転車乗りは大変危険をともなっていた。
［発明の開示］
［発明が解決しようとする課題］
【０００３】その為に次のような問題点があった。
大きな荷物などを持ち雨や日差しをよけようとするとき、傘をもつ手首が非常に疲れ、また荷物と傘を交互に持ち替えなければならない等、不都合なことが多かつた。
本発明は以上の問題点を解決しようとするものである。
［課題を解決する為の手段］
【０００４】ホルダーを身体の一部として身体に密着させる。
そして上半身の少しの動きで傘をさす方向をかえることが出来、雨天時及び日差しの強い時に両手が自由になることにより多くの荷物を持ったり子どもを抱いたりしながら風雨や日差しの方向に対応することができる。
以上を特徴とする全天候対応型の傘ホルダーである。
［発明の効果］
【０００５】本発明は雨天晴天時にかかわらず両手をあけることが出来、効率的に動くことができるので外出時には非常に便利なものである。
［発明を実施するための最良の形態］
【０００６】以下本発明の実施の形態を説明する。
（イ）  Ｃ型の軸からなる軸（１）の下部（３）に傘止め（４）を設ける。
（ロ）  軸（１）の１／３のところに身体と一体化させる為のベルト（５）を設ける。
（ハ）  軸（１）の上部（２）に傘（６）を止める傘止め（７）を設ける。
（ニ）  上部（２）の湾曲した部分を肩にかける
（ホ）  下部（３）の湾曲した部分には傘（６）の持ち手を止めたり、荷物（８）を下げたりすることが出来る様、湾曲させてある。
本発明は以上の構成からなる傘ホルダー（Ａ）である。
本発明は以上の構成からなるものであって、以下使用法について説明する。
まず軸（１）の上部（２）を肩にあてがう。
その後、傘（６）を面テープ（７１）（７２）・（４１）（４２）を設けた傘止め（７）（４）を環（９）（１０）を介して軸（１）に左右にずれないようにしっかり固定する。
その後ベルト（５）を環（１１）を介して身体に巻きつけ、傘（６）を身体と一体状にする。したがって傘がいつも身体に固着されている状態になっている。
傘を必要としない場合はベルト（５）をはずしてその後傘止め（４）（７）をゆるめて傘（６）を軸（１）から離す。
荷物（８）を軸（１）の下部に吊り下げることによって両手が使える。
なお、本発明のホルダーは図１に示したＣ型状について説明したが図３に示すようにＳ字状に軸（１）を変形させても同じ効果をえられる。
【図面の簡単な説明】
【０００７】
【図１】    本発明の斜視図
【図２】    本発明の使用状態を示す斜視図
【図３】    本発明の他の実施例図
【図４】    本発明の他の実施例図の使用状態を示す斜視図
【符号の説明】
【０００８】  １  軸
２  上部
３  下部
４  傘止め
５  ベルト
６  傘
７  傘止め
８  荷物
９  環
１０  環
１１  環
【図１】
2005152565.tif 000003
【図２】
2005152565.tif 000004
【図３】
2005152565.tif 000005
【図４】
2005152565.tif 000006
(57)【要約】【課題】アイススケートのブレードの底面に溝を設けたダブルブレードスケートを提供する。【解決手段】アイススケートのブレードの底面にはブレードの前部から後部に連なる溝が設けられており、該溝によりブレードが複数枚にて設けられていることを特徴とするダブルブレードスケート。【特許請求の範囲】
【請求項１】
アイススケートのブレードの底面にはブレードの前部から後部に連なる溝が設けられており、該溝によりブレードが複数枚にて設けられていることを特徴とするダブルブレードスケート。
【発明の詳細な説明】
【技術分野】
【０００１】  本発明は、アイススケートのブレードの底面に溝を設けたダブルブレードスケートに関するものである。
【背景技術】
【０００２】  従来、アイススケートのブレードは壱枚であった。
【発明の開示】
【発明が解決しようとする課題】
【０００３】  これには次のような問題点があった。
（イ）スピードスケートにおいてはリンクのコーナーを高速なスピードにて廻るとき          横滑りをおこし転倒することがあった。
（ロ）フィギュアスケートにおいてはジャンプの後の着地にて氷面を確実にとらえる          ことができず転倒することがあった。
本発明は、これらの問題点を解決するためになされたものである。
【課題を解決するための手段】
【０００４】  アイススケートのブレードの底面にはブレードの前部から後部に連なる溝が設けられており、該溝によりブレードが複数枚にて設けられている。
以上を特徴とするダブルブレードスケートである。
【発明の効果】
【０００５】  スピードスケートにおいてはリンクのコーナーにおける横滑りによる転倒を懸念することなく高速なスピードで廻ることができ、フィギュアスケートにおいてはジャンプの後の着地においても確実に氷面をとらえることができ転倒が防止され、安心感を得て競技ができるとともにきわめて安全である。
【発明を実施するための最良の形態】
【０００６】  以下、本発明の実施の形態について説明する。
（イ）アイススケートのブレード１の底面にはブレード１の前部から後部にかけて連          なる溝２が設けられており、該溝２により壱枚のブレード１が複数枚のブレー          ド１となって設けられている。
（ロ）複数枚になったブレード１のそれぞれにはエッジ３が設けられており、該エッ          ジ３はブレード１が壱枚にて使用されていたときと同様なエッジ３が設けられ          ており、ブレード１が複数枚に増えることにともないエッジ３の数も増えて設          けられている。
（ハ）ブレード１の上部には靴４が設置されている。
本発明は以上のような構成で、これを使用するときは、靴４に足を入れエッジ３にて氷の表面をキックし滑走あるいは停止する。
【実施例１】
【０００７】  図６に示すようにブレードを合わせたときブレードとブレードが溝を構成するようにブレードの断面に切り欠きを設けたブレードを合わせて設けてもよい。
【実施例２】
【０００８】  図７に示すようにブレードとブレードの間に溝を構成するような板状の物を挟んで合わせて設けてもよい。
【図面の簡単な説明】
【０００９】
【図１】本発明の斜視図の断面図の一部省略図
【図２】本発明の正面図
【図３】本発明の底面図の一部省略図
【図４】本発明のＡ−Ａ断面図
【図５】本発明の使用状態を示す正面図
【図６】本発明の他の第一の実施例を示す斜視図の断面図の一部省略図
【図７】本発明の他の第二の実施例を示す斜視図の断面図の一部省略図
【符号の説明】
【００１０】１  ブレード
２  溝
３  エッジ
４  靴
【図１】
2005152566.tif 000002
【図２】
2005152566.tif 000003
【図３】
2005152566.tif 000004
【図４】
2005152566.tif 000005
【図５】
2005152566.tif 000006
【図６】
2005152566.tif 000007
【図７】
2005152566.tif 000008
(57)【要約】【課題】身体の前面、背面を隈なく洗う為、伸縮機能付きタオルを提供する。【解決手段】筒状態が２つ以上できるようにしたタオルの筒口から２本の紐それぞれが輪状になるよう回し通し、平面タオルと紐を一体化させ、その紐を引っ張ったり筒内に収納したりしてタオルを平面体、中央部分に布を寄せたブラシ状と自在に変化させ、平面状態でのタオルを手に持ちやすい大きさに折りたたんで所望の部分を洗い、紐を引っ張ってブラシ状が中央部分にある状態のときは、紐が両端に伸びて寸法が長くなっているので背中を容易に洗える。更にブラシ状が背中のくぼみもスッキリ洗ってくれることを特徴とする浴用タオル。【選択図】図３
2005152544.tif 000002
【特許請求の範囲】
【請求項１】
天然繊維及び／又は合繊繊維により識成もしくは編成されたタオルに、筒状態が２つ以上成るように仕切りを入れ、次に２本の紐をそれぞれその筒状態の２カ所の筒内に回し通し、それぞれの紐が輪状になるよう筒内に紐を挿入することを特徴とする浴用タオル。
【請求項２】
筒状態が２つ以上あり２本の紐がそれぞれ輪状になるよう筒内に挿入されているタオルの外輪に、筒状になるようにしたタオルを１枚以上重ね縫い合わせることを特徴とする請求項１記載の浴用タオル。
【請求項３】
筒状態が２つ以上あり２本の紐がそれぞれ輪状になるよう筒内に挿入されているタオルの外輪に、同じように筒状態が２つ以上あるタオルを１枚以上重ね縫い合わせ、そして仕切り部分も重ね縫い合わせることを特徴とする請求項１記載の浴用タオル。
【発明の詳細な説明】
【技術分野】
【０００１】  本発明は、２つ以上の筒状を連鎖させたタオルの筒内に、２本の紐をそれぞれ輪状になるように挿入し、それぞれの紐を両端に引っ張ったり、筒内に戻したりすることによりタオルを伸縮させ、その結果、タオルの厚み、紐を含めた全体の長さを変化させることができる。タオルの状態を変化させ使い分けることにより、凹凸のある身体全体を隈なく洗うことが出来る浴用タオルに関するものである。
【背景技術】
【０００２】  従来、平面なタオルであったり、又は平面なタオルの一部にフリルや膨らみや塊を付けてあるものがある。又柄や紐の付いたブラシ状のもの、ハンデイタイプのスポンジ等がある。
【発明の開示】
【発明が解決しようとする課題】
【０００３】  そのために、次のような問題点があった。
（イ）平面体のタオルで背中を洗う場合、背中のくぼみ部分がスッキリ洗えない。
（ロ）背中のくぼみを洗うためにタオルの一部にフリルや膨らみや塊を付けたタオルは手に持ちやすい大きさに折りたたみたい時、フリル、膨らみ、塊の部分を避けて折りたたまなければならず使いにくい。
（ハ）柄の付いたブラシは、洗うとき必要以上の力を要する。
（ニ）紐の付いたブラシは背中以外を洗う時、紐がじゃまになる。
（ホ）小型のハンデイタイプのものは、背中のほとんどの部分に届かず背中を洗いたい時は、もう一種類用意するか又は他の人に洗ってもらう必要がでてくる。
本発明はこれらの問題点を解決するためになされたものである。
【課題を解決するための手段】
【０００４】  天然繊維及び／又は合成繊維により織成もしくは編成されたタオルに、筒状態が２つ以上成るように仕切りを入れる。そして２本の紐をそれぞれの筒状態の２カ所の筒内に回し通しそれぞれの紐が輪状になるよう、筒内に紐を挿入する。又、筒状態が２つ以上あり２本の紐がそれぞれ輪状になるよう筒内に挿入されているタオルの外輪に、筒状になるようにしたタオルを１枚以上重ね縫い合わせることにより、タオル間に空気層が増し洗剤の泡立ちがすごく良くなる。更にタオルの筒内に挿入する紐を筒状にすることにより、より一層空気層が増し更に泡立ちが増す。
又、筒状態が２つ以上あり２本の紐がそれぞれ輪状になるよう筒内に挿入されているタオルの外輪に、同じように筒状態が２つ以上あるタオルを１枚以上重ね縫い合わせ、そして仕切り部分も重ね縫い合わせる方法もある。
以上を特徴とする浴用タオルである。
【発明の効果】
【０００５】  本発明には次のような効果がある。
（イ）２つ以上の筒状を成したタオルの筒内を２本の紐それぞれが輪状になるよう２カ所の筒内に回し入れ、タオルと紐を一体化し、その紐をひっぱたり筒内に戻したりすることにより、タオルの形状を平面体、ブラシ状と変化させ、凹凸のある身体を洗うのに上手に対応することができ、身体の前面、背面をスッキリ洗うことができる。
（ロ）身体の、前面用タオル背中用タオル（ブラシ）等と複数揃える必要がない。
（ハ）タオルに輪状の紐が挿入されているので、収納時、タオルに挿入されている紐の輪の端の部分を利用してフック等のような物に吊すことができる。又平面タオル体の状態でタオルかけに掛け置くこともできる。
【発明を実施するための最良の形態】
【０００６】  以下、本発明の実施の形態について説明する。
（イ）重ね合わせたタオル地（１）に、仕切り（Ｘ）（Ｙ）を設け筒状連鎖を作りその外輪にタオル地（２）を設ける。
（ロ）紐（３）を筒口ＡＡ’Ｂ’Ｂの間を回し通す。
紐（４）を筒口ＣＣ’Ｂ’Ｂの間を回し通す。
本発明は以上のような構成で、これを使用するときは、紐が筒内に収まっている平面タオル状態で手に持ちやすい形に折りたたみ、身体の所望の部分を洗浄し、紐（３）（４）をそれぞれ相対する両端方向に引っ張り、紐を引っ張った時の斜視図
【図３】
の形にして背中を洗う。紐を引っ張った状態
【図３】
の筒口Ｂ−Ｂ’あたりを両手でそれぞれ持ち相対する両端方向に引っ張れば平面タオル状態
【図１】
に戻る。このようにタオルの形態を自在に変えて身体を洗うことができるので便利である。
【実施例】
【０００７】  本実施例ではタオルを長方形にしているがいろいろな形をデザインすることができる。又、紐は筒状にしているが、既存の多種多様な紐を使用することもできる。更に紐を引っ張ってのブラシ状態から平面タオル状態に戻すための、両手で持ち引っ張る箇所に目安となる物をつけても良い。
【図面の簡単な説明】
【０００８】
【図１】本発明の平面図
【図２】本発明の側面図
【図３】本発明の紐を引っ張ったときの斜視図
【符号の説明】
【０００９】    １        タオル地
２        タオル地
３        紐
４        紐
Ａ、Ａ’  筒口
Ｂ、Ｂ’  筒口
Ｃ、Ｃ’  筒口
Ｘ        仕切り
Ｙ        仕切り
【図１】
2005152544.tif 000003
【図２】
2005152544.tif 000004
【図３】
2005152544.tif 000005
(57)【要約】      （修正有）【課題】要介護１・３程度の方の介護を目標にし家庭で介護をしている家族には大変な手間が省け介護施設の管理者においては人件費の削減又貴重な労働時間を本来の目的のケアに向ける事が出き衛生面に於いても非常に効果の有る設備を提供する。【解決手段】便器・シャワー・洗面器（付けない事も有る）を１ユニツトにした。要介護者が個室に於いて簡易ユニツト・トイレ・シャワーで大・小便の用を足し主に汚れた下半身が洗え汚物を洗い・乾燥する事が出き個室の室内も手軽に掃除の出きるようにした。【選択図】図２
2005152548.tif 000002
【特許請求の範囲】
【請求項１】
要介護１〜３程度者  の介護用設備とする  便器・シャワー・洗面器（付け無い事も有る）を１ユニツトにした  簡易ユニツト・トイレ・シャワー・。
【請求項２】
請求項1の簡易ユニツト・トイレ・シャワーの天井に  乾燥機を付ける。
【発明の詳細な説明】
【発明の詳細な説明】
【産業上の利用分野】
【０００１】この発明は  要介護１〜３程度者の家庭の居室  又介護施設の居室に於いて押入内  又居室の片隅に設置し  離れたトイレ・共同トイレへ行く事なく其の室内で  大小便の用をたし  おもに汚した下半身を洗い  漏らして汚した物を  洗い・乾燥し  手軽に  汚した部屋の掃除の出来る設備を  研究発明した。
【背景技術】
【０００２】要介護１〜３程度者の居る  家庭の部屋  従来の介護施設の個室には  このような施設はない  病院には  病院用の豪華な  ユニツト・トイレシャワーもあるが  大変高価で大きく  手軽に設置出きるものではない  トイレを取り付けた介護施設の個室はまれに有るが  主に汚した下半身を洗い  汚した物を洗い・乾燥させる事が出来  汚した部屋の掃除がしやすい設備は無い其の為  ボチョ・ボチョと  部屋を汚し  ローカを汚し  汚れた長いローカの床の掃除  汚れ物を遠い洗濯場へ持つ行き洗う事等  一人の為に介護する者がいかに  この為に無駄な作業時間を費やしているが  これが何人もとなると  介護者は計り知れない労力を費やし  仕事とはいえ我慢して作業しているのが現状である  又充分な掃除も出来ず  悪臭がしている。
【発明が解決しようとする課題】
【０００３】（１）    要介護１〜３程度者のいる家庭に於ける介護で  下半身の問題は毎日切実な問題である  汚した体を洗い  汚した物を洗い  乾燥し  汚した床を手軽に掃除の出来る設備が有れば  いかに便利か計り知れない当然現在では無い設備で  押し入内か  部屋の片隅に設置すれば  大変便利で  家族の負担が大巾に軽減され  又本人が有る程度出来る方であれば  ケア  にもなる（２）    介護施設の介護者が  汚れた要介護者を浴室へつれてゆき  体を洗い  汚れ物の  洗濯・乾燥  掃除  に大変な時間を浪費しているがこの  簡易ユニツト・トイレ・シャワー  が有れば  本人でもある程度処理が出来  汚れも其の室内でほとんど処理が出き  掃除も充分に出来くさい臭いも無くす事が出き  人件費の節約が出来る。（３）    簡易ユニツト・トイレ・シャワーの近くに  洗濯機を設置する事で洗い物がその場で出来  簡易ユニツト  で乾燥する事で  部屋から持ち出す事もなく  計り知れない便利さが有る。
【課題を解決する為の手段】
【０００４】現在  要介護者を介護するのに  毎日の作業の負担を少しでも  少なくするのに何が必要かを考えるに  一番負担となっているのが  下半身の問題である事  本人には大変な苦痛であり  介護をする方には大変な労働負担である  居室で手近に処理出来る事が  いかに便利で時間の浪費を節約出きるかを考え  これの解決の為に  この  簡易ユニツト・トイレ・シャワーの設備を研究発明した。
【発明を実施するための最良の形態】
【０００５】  本発明の実施について説明する（１）    便器・シャワー・洗面器（付けない事も有る）を  １ユニツトにした物である。（２）    要介護者が個室に於いて  簡易ユニツト・トイレ・シャワーで大・小便  の用を足し  主に汚れた下半身が洗え  汚物を洗い・乾燥する事が出き  個室の室内も手軽に掃除の出きるようにしたものである。（３）    ユニツトの天井に乾燥機を取り付け  洗濯物を乾燥させる。（４）    給湯器を取り付け  給湯と乾燥機用に使用する。
【発明の効果】
本発明は  要介護１〜３程度の方の  介護  を目標にし  家庭で介護をしている家族には  大変な手間が省け  介護施設の管理者においては人件費の削減  又貴重な労働時間を  本来の目的のケアに向ける事が出き  衛生面に於いても  非常に効果の有る設備で有る。
【図面の簡単な説明】
【図１】本発明の平面図
【図２】本発明の断面図
【図１】
2005152548.tif 000003
【図２】
2005152548.tif 000004
(57)【要約】【課題】  作動ボタンに鍵穴を開け、鍵の取り付けを可能にした傘を提供する。【解決手段】  自動開傘の作動ボタン金具の側面に、直径約３．５ミリの鍵六を開ける。そして市販等の鍵を鍵穴に通す事ができる盗難防止傘。【選択図】  図１
2005152542.tif 000002
【特許請求の範囲】
【請求項１】
作動ボタンの押し込みにより開く自動開傘の作動ボタンに鍵穴を開け、鍵を通す事を可能にし、鍵を通した状態で作動ボタンの押し込みを防ぎ、盗難防止とする鍵穴付き傘。
【発明の詳細な説明】
【技術分野】
【０００１】  本発明は、傘を外出先に置く際、他人からの盗難を防止する、傘に鍵をかけられるようにする為の鍵穴に関するものである。
【背景技術】
【０００２】  従来の傘は、盗難を防ぐ為に、鍵付きの傘立てに置いたり、もしくは持ち運ぶなどしなければならず、傘自体に鍵を取り付ける事はなかったのが一般的である。
【発明の開示】
【発明が解決しようとする課題】
【０００３】  そのために次のような問題点があった。
外出先に鍵付きの傘立てがあるとは限らず、又店内に傘を持ち込めない所もあり、自衛する事が困難な時が多い。
本発明は、これらの問題点を解決するためになされたものである。
【課題を解決するための手段】
【０００４】  自動開傘の作動ボタン金具の側面に、直径約３．５ミリの丸穴を開ける。そして市販等の鍵を鍵穴に通し、他人には使用不可能とする。
【発明の効果】
【０００５】  本発明は、外出先で鍵付きの傘立てがなかったとしても、傘本体に鍵をかける事で、その傘の使用を本人のみに限定する事ができる。よって、盗難防止となる。
【発明を実施するための最良の形態】
【０００６】  以下、本発明の実施の形態について説明する。
作動ボタン（１）の側面に直径約３．５ミリの鍵穴（２）を開ける。
本発明は以上のような構成で、これを使用する時は、鍵穴（２）に鍵を通す。
鍵を通す事で、作動ボタン（１）が固定され、上下可動部（５）も作動しなくなり、傘としてこの機能を果たさなくなる。
【図面の簡単な説明】
【０００７】
【図１】  本発明の側面図
【図２】  本発明の使用状態を示す斜視図
【符号の説明】
【０００８】    １  作動ボタン
２  鍵穴
３  とっ手
４  支柱
５  上下可動部
６  鍵
【図１】
2005152542.tif 000003
【図２】
2005152542.tif 000004
(57)【要約】      （修正有）【課題】適切なイオン交換基を有する材料でマスクをつくることにより瞬時に消臭することが出来るマスクを提供する。【解決手段】汎用マスクの材料として、イオン交換機能をもつ布、紙又は化学製品を用いる。汎用マスクの吸入部にイオン交換の機能をもつ布、紙又は化学製品を挿入し用いる。【選択図】図３
2005152560.tif 000002
【特許請求の範囲】
【請求項１】
主にアンモニア系の消臭マスクとして汎用マスクの材料にイオン交換の機能を持った布や紙又は化学製品を用いること。
【請求項２】
主にアンモニア系の消臭マスクとして汎用マスクの吸入部にイオン交換の機能を持った布や紙又は化学製品をはさんで（挿入し）用いること。
【請求項３】
主にアンモニア系の消臭マスクとして汎用マスクをイオン交換液で処理し、乾燥させ用に供すること。
【請求項４】
主にアンモニア系の消臭マスクとして汎用マスクを有機酸で処理し用に供すること。
【発明の詳細な説明】
【技術分野】
【０００１】  この発明は汎用マスクに関するものである。この発明に関する汎用マスクの定義として、汎用マスクとは使い捨てマスク（１回の使用で捨てるもの）と、一般用マスク（１回以上使用し、時には洗濯や水洗いして２回以上使用する）の総称であり材料は主に紙、布（含ガーゼ並びに化学製）より成り、両耳にかけられる考慮がなされているもので、それ以上の特別な機能性はないものとする。
【背景技術】
【０００２】
【特許文献１】特許第３２３８４９５号
【特許文献２】特許第３２４５４５４号
【非特許文献１】斉藤恭一・須郷高信共著「猫とグラフト重合」，丸善株式会社，平成８年３月２０日発行，ｐ．３〜８
【非特許文献２】黒田六郎・渋川雅美共著「イオン交換」，丸善株式会社，昭和５６年６月２５日発行，ｐ．１３１，１３２
【非特許文献３】「１４３０３の化学商品」，化学工業日報社，２００３年１月２８日発行，ｐ．１１０３〜１１０７
【発明の開示】
【発明が解決しようとする課題】
【０００３】  従来の汎用マスクは材料を一重（図１、図２）又は特に吸入部を幾重（図３、図４）かにしたものが多い。消臭その他を考慮したものには、その機能性として活性炭や酸化チタン等を吸入部に設けたものがある。
しかし材料だけでは消臭効果は期待できないし、活性炭では物理的吸着作用だけで臭いの質や量によっては吸着できないばかりか、再放出する欠点がある。また酸化チタンで消臭する条件を満たすのが困難の場合が多い。本発明は以上の様な欠点をなくすためになされたものである。
【課題を解決するための手段】
【０００４】  外部にあるアンモニア系の臭いを吸入しなければよい、しかし吸入せざるをえない場合はマスクの吸入部で消臭してしまえばよい。しかしいままでは残念ながら汎用マスク程度では消臭出来なかった。アンモニア系の臭いは塩基性である、従って酸性で中和すると臭いは消える。これを一歩進めてマスクの素材に酸性基例えばスルホン酸基を共有結合させて電気化学的に中和反応させる。塩基性ガス（アンモニア）は化学吸着し消臭される。この様に無臭化させることが出来る。今やイオン交換樹脂や繊維は幅広く産業界に使用されている。そこで適切なイオン交換基を有する材料でマスク全体をつくることにより瞬時に消臭することが出来て
【請求項１】
を充足させることは出来る。
【０００５】  しかし汎用マスクに全面採用するには高品質すぎてコスト面で困難である。そこで一枚の上記材料をマスクのサイズに合わせ適当な大きさ（例えば７ｃｍ×８ｃｍ）にカットして、マスクの吸入部にその一枚をはさんで（挿入して）使用することで
【請求項２】
を充足させることが出来る。一枚で十分である。紙などの場合性質上水洗い出来ないものもあるが、布などは容易に水洗い出来、消臭能力は復元し何度か使用出来る。
【０００６】  また水に良く溶ける紙、繊維、蛋白質、炭水化物に官能基をグラフト重合し、これを水溶液としイオン交換液とすることで
【請求項３】
を充足させることが出来る。即ちこの水溶液で使い捨てマスクを処理（浸漬、スプレー等）し乾燥後使用に供する。この形式の長所は、この発明の中では常には完全ではないが、安価で取扱いが容易なことである。
【発明の効果】
【０００７】  本発明の効果としてマスクに対する考え方が変る。汎用マスクをするだけでアンモニア臭が除去出来る、それも瞬時にそして長期にである。
【０００８】  近年介護関係を業とする者が増加して来たしその関係の資格も増加して来た。しかし実習時若者の２〜３割はあの臭いに耐えられずに方向転換をするという。当該マスクはその解決の一助になるであろう。
【０００９】  作業者にとって、生活者にとって、大いにストレスと毒性を予防除去出来るものと考える。又、外部からの吸気の臭いと同時に内部からの呼気の臭いも共に消臭する。このことはマスクの使用を一時中断しそのまま再使用するとき、従来の様なしみ込んだ複雑な臭いでいやな気持ちにされることはない。従って臭いに関していえば、マスクは常に新品同様であるといえる。
【産業上の利用可能性】
【００１０】  イオン交換技術は、浄水化や産業上での純水化に長期にわたり利用されて来た。その間さらに発展した技術で水中から、空中からあらゆる好みの分子を原子を又イオン化物を捕捉する様になった。特に近年の各方面の技術の要求がナノ技術化されて来た。それに伴ってさらなる超純水化、さらなる空気の超クリーン化が必要になった。【００１１】  香も臭いも空気のクリーン化の一環として考慮され必要によっては処理されねばならなくなった。本発明は産業上の利用をサービス産業への利用可能性を考えたものである。
１）家庭用、個人用
２）医療関係
３）介護関係
４）汚物、ゴミの運搬並びに処理関係
５）遺体の移動並びに処置関係、場所（部屋）の清掃
６）検死関係
７）大小動物の飼育、実験並びに死体処理関係
当該発明品の使い方として特定されるものではない。
【図面の簡単な説明】
【００１２】
【図１】化学製の使い捨てマスクの一図例
【図２】紙、ガーゼの一図例
【図３】ガーゼ、布の一般用マスクの一図例
【図４】一般用マスクの実際使用図で一端をカットしたものの一図例
【００１３】（１）使い捨てマスクの吸入部の一重部分
（２）化学品のマスクの吸入部の一重部分
（３）布地マスクの吸入部の幾重部分
（４）耳かけの部分
（５）
【請求項２】
にある挿入片を入れる個所
【図１】
2005152560.tif 000003
【図２】
2005152560.tif 000004
【図３】
2005152560.tif 000005
【図４】
2005152560.tif 000006
(57)【要約】【課題】鞄に入れた弁当箱は、座って膝に載せているときは横に、歩いて手に下げているときは縦になる。弁当箱が縦になると、惣菜容器から汁が流出し、その汁がご飯に吸収されたり弁当箱から流出することがある。【解決手段】惣菜容器に側壁部を設けて、弁当箱が縦になったときに汁が流出しないようにする。【選択図】  図１
2005152553.tif 000002
【特許請求の範囲】
【請求項１】
弁当箱が縦になったときに汁が流出しないよう、側壁部を設けることを特徴とする惣菜容器。
【発明の詳細な説明】
【技術分野】
【０００１】  本発明は、弁当箱の惣菜容器の形状に関する。
【背景技術】
【０００２】  従来の惣菜容器の形状は、図３に示すように、直方体であれば５面を有する構造である。
【発明の開示】
【発明が解決しようとする課題】
【０００３】  しかしながら、以上の技術によれば、弁当箱が縦になったときに惣菜容器から汁が流出し、その汁がご飯に吸収されたり弁当箱から流出するという難点があった。そこで、この発明は、弁当箱が縦になっても汁が流出しない惣菜容器を提供することを課題とする。
【課題を解決するための手段】
【０００４】  以上の課題を解決するため、本発明は、弁当箱が縦になったときに汁が流出しないよう、側壁部を設けることを特徴とする惣菜容器である。
【発明の効果】
【０００５】  本発明の一実施形態を、図１に示す。
縦の状態の弁当箱１の中に惣菜容器２が入っている。この惣菜容器２には側壁部３が設けられている。
【発明を実施するための最良の形態】
【０００６】  この実施形態によれば、惣菜容器２が側面部３を有することにより、弁当箱が縦になったときにも汁溜りができ、惣菜容器から汁が流出しない。
【図面の簡単な説明】
【０００７】
【図１】  本発明の一実施形態を示した正面図である。
【図２】  本発明の一実施形態を示した断面図である。
【図３】  従来技術を示した断面図である。
【符号の説明】
【０００８】  １  弁当箱
２  惣菜容器
３  側壁部
４  汁
【図１】
2005152553.tif 000003
【図２】
2005152553.tif 000004
【図３】
2005152553.tif 000005
(57)【要約】      （修正有）【課題】食べ物や飲み物を食する際に醤油やソースの調味料を別途用意することなく食物に対して供給することができ、旅行やキャンプ等の携帯用品としても好適に使用できる箸を提供すること。【解決手段】箸の本体内部に醤油・ソースを充填した調味料容器を付設して、本体部と先端部をネジで連結し、使用する時は、緩めることで先端表面から調味料を流れさせ、使用しない時は、ネジを固く締める。【選択図】図１
2005152558.tif 000002
【特許請求の範囲】
【請求項１】
食事をする際の持ち手部と調味料を入れる内部空間を有する筒状体より成り、先端部より液体の調味料が流出する箸である。前記外筒の先端に対して回転可能な調味料を入れる内部空間を有する筒状体から構成されている箸である。
前記先端部を外筒に対して所定角度回動させ後部半球部分を圧縮することにより液体・調味料が出る箸である。
【請求項２】
持ち手部の先端部後方と調味料を入れる筒状体の前部には、ネジが切ってあり、そののネジを緩める事により、先端部の液体調味料が出る穴、もしくは溝が開き液体調味料が流れ出す構造に成っている。又、後部の液体調味料が入る筒は強度を増す為溝が切ってあり指で押してもへこまない様になっている。又、一番の特徴は球状体の一部を水平に切り落とし扁平にしてある為に勾配のついた斜面に置いても転がらない様になっている。
尚、調味料はスポイトにて接続部より挿入する。
【発明の詳細な説明】
【発明の詳細な説明】
【技術分野】本発明は、醤油又はソースが箸の先端より流出するものである。
【背景技術】箸・ナイフ・フォーク・スプーン等の食事の際には料理に醤油やソースの調味料をかける事が多かったが、それらは別々の行為としてなされていた。
【発明が解決しようとする課題】
食べ物や飲み物を食する際に醤油やソースの調味料を別途用意することなく食物に対して供給することができ、旅行やキャンプ等の携帯用品としても好適に使用できる箸を提供する。
【課題を解決する為の手段】
上記の様に提供される食物を前にして、予め充填した調味料容器を付設することによりビニール袋に入った醤油・ソースを破る事なく箸として使用する事が可能である事を見出し本発明に至った。
【発明を実施するための最良の形態】以下、本発明に係る醤油・ソースの出る箸について、実施形態を図面を参照しつつ説明する。
図１は本発明に係る醤油・ソースの出る箸の実施形態を示す外観図
図２は箸の先端部の外観図である。
図３は前者の醤油・ソースの出る穴の部分を示す図である。
図４は箸を握る部分ですべり止めがついた図である。
図５は箸を先端部より見た図で醤油・ソースの出る穴がみえる図である。
図６は箸の先端部と醤油・ソースが入っている本体部分をネジを緩めて穴から醤油・ソースが出る状態の図である。
図７は箸の先端部と醤油・ソースが入っている本体部分をネジでしっかりと閉めている図である。
図８は醤油・ソースが入る本体部を机の上において横から見た図である。
横のスジは本体を握った時折れない様に溝（骨）により強化している。
又、底部は平たくなっており容易には転がらない様になっている図。
食事の際には醤油とソースの入った二本の箸により合わせて使用する。
尚、醤油・ソースは本体接続部の口よりスポイトにて挿入する。
実施形態の醤油・ソースの出る箸（１）は食事をする際の持ち手部となる（２）と調味料たる醤油・ソースを入れる（３）本体をネジにより連結している。
先端部（２）には物を摘んだり、挟んだりする時滑らない様に溝（４）がついている。
握り部にも滑り止め（５）がついている。
先端部（２）は（３）の本体部を緩める事により、図６の様になり穴（６）から醤油・ソースが流れ出る。又は図７は使用しない時の図でありネジを固く閉じることにより醤油・ソースが漏れない様になる。
（７）の醤油・ソースが入る本体部は握った時折れたり曲がったりしない様強度を持たす為に溝（骨）が入っている。（８）は机の上、又は斜面でも転がらない様に底部を平らにしている。
食事のときは和食・洋食に対応する為に醤油とソースの入った箸二本により便利に使ってもらえる。お花見・キャンプの弁当に一人一膳醤油とソースが入った箸があれば困ることはない。
【図面の簡単な説明】
【図１】箸の形態を示す外観図を上から見た図。
【図２】箸の先端部の滑り止めのついた溝と握り部分の図。
【図３】箸先端の醤油とソースの出口の穴の図。
【図４】握り部分の断面図。
【図５】先端部より見た姿図。
【図６】箸の接合部のネジを緩めて醤油・ソースが出る図。
【図７】同上のネジを固く閉めて醤油・ソースが漏れない図
【図８】箸の握り部が折れたり曲がったりしない様に溝（骨）を入れた図。同上の箸が傾斜した所でも転がらない様に底面を平らにした図。
【符号の説明】
１，…実施形態の醤油・ソースの出る箸。
２，…箸の先端部の滑り止め。
３，…醤油・ソースを入れる本体。
４，…先端部で物を掴む滑り止め防止溝。
５，…箸を指で握る所の滑り止め防止、リブ。
６，…箸先端部の醤油・ソースの出る穴。
７，…醤油・ソースが入る本体と折れたり曲がったりを防止する溝（骨）。
８，…斜面での転がり防止底面（平らにした底）。
【図１】
2005152558.tif 000003
【図８】
2005152558.tif 000004
【図２】
2005152558.tif 000005
【図３】
2005152558.tif 000006
【図４】
2005152558.tif 000007
【図５】
2005152558.tif 000008
【図７】
2005152558.tif 000009
【図２】
2005152558.tif 000010
【図３】
2005152558.tif 000011
【図４】
2005152558.tif 000012
【図５】
2005152558.tif 000013
【図６】
2005152558.tif 000014
【手続補正書】
【提出日】平成16年3月1日(2004.3.1)
【手続補正１】
【補正対象書類名】図面
【補正対象項目名】全図
【補正方法】変更
【補正の内容】
【図１】
2005152558.tif 000015
【図２】
2005152558.tif 000016
【図３】
2005152558.tif 000017
【図４】
2005152558.tif 000018
【図５】
2005152558.tif 000019
【図６】
2005152558.tif 000020
【図７】
2005152558.tif 000021
【図８】
2005152558.tif 000022
(57)【要約】    【課題】  装着感に優れた、磁力の高い磁性を有する生地を提供し、この生地を製品化することで磁気治療という大げさなのでなく、普段着用する下着や靴下類を着用することで血行を改善し、ツボを刺激し、無理なく健康回復、健康増進を図ることを目的とする。    【解決手段】  フェライトや希土類等の磁性粉末と樹脂を配合して形成した磁性体を小突起状に繊維織物生地に印着させ、乾燥させた後、着磁機によって着磁して磁力を高めて生地を製造するのである。    【選択図】  図１
2005152203.tif 000002
【特許請求の範囲】
【請求項１】
磁性粉体と樹脂を配合して形成した磁性体を生地に印着した後、乾燥させ着磁した磁性を有する生地。  
【発明の詳細な説明】
【技術分野】
【０００１】
本発明は磁性を有する生地であって、血行を促し、ツボを刺激する効果を有する製品に関連するものである。
【背景技術】
【０００２】
磁気を用いた磁気治療用帯状体として少なくとも二つの帯状布の間に磁気粉末を充填して成形した多数の磁気体を介装し、固着形成されたものがある。
【特許文献１】特開平８−３８６２７号公報
【発明の開示】
【発明が解決しようとする課題】
【０００３】
磁気治療用器具としては固形磁石を直接肌に貼り付けるものがある。これは効果的、且つツボも刺激するため、血行を促す効果も大きいが、一方で違和感があったり衣服が擦れて磁石が剥れてしまったり、肌にかぶれを生じるという短所があった。
【０００４】
このような欠点に鑑みて引用発明の磁気治療用帯状体が発明された。確かに装着感に優れ、磁気体が肌から剥れることがなく肌がかぶれるおそれがないが、一方で磁気治療用としての効果は大きく減退している。すなわち、少なくとも二層の帯状布の間に磁性体を介装しているため、磁性体の磁力が著しく低下し、更に、磁性体が直接肌に触れることがなくツボを刺激することもないからである。
【０００５】
そこで、本発明では衣服の生地の表面に直接磁性体を固着させ、磁力による血行の改善及びツボ刺激の効果を奏する磁性を有する生地を提供することを目的とするのである。
【課題を解決するための手段】
【０００６】
そこで、本発明では磁性粉体を樹脂に混入して形成した磁性体を繊維織物の生地に印刷し、乾燥させた後、着磁して磁性を高めるのである。
【発明の効果】
【０００７】
樹脂に磁性粉体を混入し、熱溶着等の方法で生地にプリントするため直径２、３ｍｍの柔軟性を有する小突起が無数にプリントされた生地が形成されるのである。従って、この生地を使用して製造された衣服は肌へのあたりが柔らかく磁石を直接肌に貼りつける治療具に比し、装着感が優れている。一方、磁性体である小突起が直接肌に触れるため磁力の効果も高く、ツボを刺激する効果も大きい。また、特に肩こりや腰痛の治療用としてあらたまって使用するという大げさなものでなく、普段着用する下着類や靴下に利用することで、日常生活を送る中で、健康回復や健康増進が無理なく達成できるという効果を奏する。
【発明を実施するための最良の形態】
【０００８】
図１は、本発明にかかる磁性を有する生地１の斜視図。図２が同、断面図である。
【０００９】
フェライト等の磁気粉末を塩化ビニルやシリコン等の樹脂類に充填、混合して形成したものを綿やポリエステル、アクリル等の繊維織物の生地２に印着するのである。かかる磁性体３は多数の小突起として生地２上に固着する。これを乾燥させた後着磁機によって着磁し、磁力を高めるのである。
【００１０】
磁気粉末はフェライトの他、希土類を用いても良い。また、磁性体３の大きさや形状は製造する製品に合わせて容易に変化させることが可能である。例えばサポ−タ−や腹巻き等は製品の内側全面にプリントし、靴下等は足のツボに当接する位置に適当な大きさ、形状の磁性体を形成固着するのである。
【産業上の利用可能性】
【００１１】
本発明は繊維織物生地に磁性体をプリントして形成する磁性を有する生地であるため、下着類から靴下、腹巻き、サポ−タ−に至るまであらゆる衣服関連商品に利用することが可能である。
【図面の簡単な説明】
【００１２】
【図１】磁性を有する生地の斜視図。
【図２】同、断面図。
【符号の説明】
【００１３】
１、磁性を有する生地    ２、生地    ３、磁性体
【図１】
2005152203.tif 000003
【図２】
2005152203.tif 000004
(57)【要約】  【課題】ゴルフボールを、加温することにより、反発力を向上させ初速を上げて、簡単に飛距離のアップができ、特に外気温の低下によるゴルフボールの反発力低下で初速が落ち、ゴルフボールが飛ばなくなることを防止し、外気温度の変化による飛距離の増減を少なくする、簡単なゴルフボールの加温及び、携行手段を提供する。【解決手段】ズボンのポケット内袋外側又は、内側へ発熱体の着脱及び保持をする為のポケットを設け、ボタン、ホック、ファスナーで開閉を自在に行えるようにし、発熱体の着脱を容易に行えるようにし、ゴルフボールを効率よく加温できるように構成する。【選択図】     図１
2005152292.tif 000002
【特許請求の範囲】
【請求項１】
ズボンのポケットに、発熱体を保持する為の、発熱体保持ポケットを接着又は、縫合し、発熱体によりゴルフボールを効率よく加温し携行する。より成るゴルフボール加温機能付ポケット。
【発明の詳細な説明】
【技術分野】
【０００１】
本発明は、気温の低下時に於いて、ゴルフボールの反発力の低下による飛距離の減少を防止し、常温時と同等以上の飛距離を得ることができるゴルフボール加温機能付ポケットに関する。
【背景技術】
【０００２】
ゴルフボールは、反発力を得る素材としてゴム素材を一般的に使用している為、温度依存性が高く、低温時は反発力が低下し初速が落ちてしまい、その結果としてボールが飛ばなくなるという問題が生じている。
【発明の開示】
【発明が解決しようとする課題】
【０００３】
一般のゴルファーは、低温時、スタート前及びプレー中、ゴルフボールを少しでも暖めておいたり、出し入れ等が簡単であることから、ボールを常にポケットに入れている。しかし、ポケットで暖める方法は、体に触れるボールの一部しか温めることしかできない。温める熱源が体温の為、新しいボールを温めるには、かなりの時間が必要で非効率であるという問題があった。また、市販されている使い捨てカイロをポケットに入れても、カイロが丸まってしまい、ゴルフボールを効率よく加温することができない。
【０００４】
本考案は、上記の諸問題を解決する為、ボール全体を効率的に温め、気温の低下時でも、飛距離を常温時以上にでき、しかも加温機能をポケットにすることにより、経済的に体も温まる収容機能を提供することを目的とする。
【課題を解決するための手段】
【０００５】
上記の目的を達成する為、本発明のゴルフボール収容機能は、ポケットの内袋外側又は、内側へ発熱体の着脱及び保持をする為のポケットを設け、ボタン、ホック、ファスナーで開閉を自在に行えるようにし、発熱体の着脱を容易に行えるようにした。
【０００６】
本発明の構成は、ズボンのポケット（図1-1）に、発熱体（図1-3）を保持する発熱体保持ポケット（図1-2）を辺Ｂ、Ｃ、Ｄにて接着又は、縫合しＡの方向より発熱体（図1-3）を挿入する。挿入後、（図2-5）に取付けられたボタン、ホック、ファスナーなどで挿入口を閉じる。発熱体（図1-3）が温まってきたころに、ゴルフボール（図1-4）をポケットの出し入れ口より挿入しボールを温める。より成るゴルフボール加温機能付ポケットである。
【発明の効果】
【０００７】
本発明によれば、簡単にゴルフボールの飛距離が気温に左右されること無く維持出来る。さらに携行しながらショット直前まで温めることができ、飛距離をアップすることも可能である。
【発明を実施するための最良の形態】
【０００８】
本発明を、各図により説明すると、図1（断面図）に示すようにポケットの内袋（図1-1）外側又は内側に、発熱体保持ポケット（図1-2）を図２に示す辺Ｂ、Ｃ、Ｄにて接着又は縫合する。発熱体を着脱し易くするため、接着・縫合の方向は、この限りでは無い。Ａの方向より発熱体を着脱しやすくする為、ボタン、ホック、ファスナーなどで開閉を簡単にできるようにする。発熱体（図1-3）は、市販されている使い捨てカイロなどを使用。
【実施例】
【０００９】
本発明の実施例を説明する。図1に示すように、ズボンのポケット（図1-1）に発熱体保持ポケット（図1-2）を設け、止め具（図2-5）にて発熱体（図1-3）を保持する。Ａの方向（図2）より発熱させた発熱体（図1-3）を発熱体保持ポケット（図1-2）の中に入れた状態でゴルフボール（図1-4）をポケット（図1-1）へ収納する。収納されたゴルフボール（図1-4）は、発熱している発熱体（図1-3）より伝熱されゴルフボールを加温することとなる。
【図面の簡単な説明】
【００１０】
【図１】本発明を、ズボンの後ろポケットの断面図である。
【図２】本発明を、ズボンの後ろポケットの拡大図（正面図）である。
【図３】本発明を、ズボンを後ろから見た図である。
【符号の説明】
【００１１】
１  ポケット
２  発熱体保持ポケット
３  発熱体
４  ボール
５  止め具  
６  ズボン
【図１】
2005152292.tif 000003
【図２】
2005152292.tif 000004
【図３】
2005152292.tif 000005